(57)【要約】【課題】コンパクトで、しかも、電線保護カバーとコネクタハウジング間を強固な固定力で装着できるコネクタを提供する。【解決手段】コネクタハウジング２の電線引出し側に装着された電線保護カバー１０を備えたコネクタであって、コネクタハウジング２の電線引出し側には、ハウジング側係止部５と、引き出される電線の外周側に突出するハウジング側嵌合突壁３と、ハウジング側嵌合突壁３の外周側に間隔を置いて突出するハウジング側外れ防止突部４とが設けられ、電線保護カバー１０のハウジング装着側には、装着完了位置でハウジング側係止部５に係止されるカバー側係止部１３と、ハウジング側嵌合突壁３とハウジング側外れ防止突部４の間に嵌り込むカバー側嵌合突壁１４と、ハウジング側外れ防止突部４に当接し、カバー側嵌合突壁１４の回転方向の変位を規制するカバー側外れ防止部１５とが設けられた。【選択図】図１
2011171065.tif 000002
【特許請求の範囲】
【請求項１】
コネクタハウジングと、前記コネクタハウジングの電線引出し側に装着され、前記コネクタハウジングより延出された電線を被う電線保護カバーとを備えたコネクタであって、
前記コネクタハウジングの電線引出し側には、ハウジング側係止部と、引き出される前記電線の外周側に突出するハウジング側嵌合突壁と、前記ハウジング側嵌合突壁の外周側に間隔を置いて突出するハウジング側外れ防止突部とが設けられ、
前記電線保護カバーのハウジング装着側には、装着完了位置で前記ハウジング側係止部に係止されるカバー側係止部と、前記ハウジング側嵌合突壁と前記ハウジング側外れ防止突部の間に嵌り込むカバー側嵌合突壁と、前記ハウジング側外れ防止突部に当接し、前記カバー側嵌合突壁の回転方向の変位を規制するカバー側外れ防止部とが設けられたことを特徴とするコネクタ。
【請求項２】
請求項１記載のコネクタであって、
前記カバー側外れ防止突部は、前記ハウジング側外れ防止突部の少なくとも二方向の面に当接して前記ハウジング側外れ防止突部を囲むように設けられたことを特徴とするコネクタ。
【請求項３】
請求項１又は請求項２記載のコネクタであって、
前記ハウジング側嵌合突壁は、引き出される前記電線の全外周を囲む筒形状であることを特徴とするコネクタ。
【請求項４】
請求項１〜請求項３のいずれかに記載のコネクタであって、
前記カバー側係止部は、前記カバー側嵌合突壁とは独立した弾性アーム部を利用して形成されたことを特徴とするコネクタ。
【発明の詳細な説明】
【技術分野】
【０００１】
本発明は、コネクタハウジングの電線引出し側に電線保護カバーを装着したコネクタに関する。
【背景技術】
【０００２】
この種の従来のコネクタとしては、特許文献１に開示されたものがある。このコネクタ５０は、図９に示すように、コネクタハウジング５１と電線保護カバー６０とを備えている。コネクタハウジング５１は、その前面側より相手コネクタ（図示せず）が嵌合され、その後面側より電線（図示せず）が引き出されている。コネクタハウジング５１の電線引出し側には、引き出される電線（図示せず）の外周を被うように筒部５２が突出されている。筒部５２の外周には、ハウジング側係止凹凸部５３が設けられている。
【０００３】
電線保護カバー６０は、電線引出し方向を分割面とする一対の分割カバー部材６０Ａ，６０Ｂより構成されている。各分割カバー部材６０Ａ，６０Ｂのハウジング装着側の内面には、カバー側係止凹凸部６１が設けられている。各分割カバー部材６０Ａ，６０Ｂの分割面の近傍で、且つ、互いに対向する位置には、係止部６２と被係止部６３が二組設けられている。
【０００４】
一対の分割カバー部材６０Ａ，６０Ｂは、そのカバー側係止凹凸部６１がハウジング側係止凹凸部５３に噛み合う状態で合体され、且つ、互いの係止部６２と被係止部６３間が係止されている。このように合体された電線保護カバー６０は、コネクタハウジング５１の筒部５２の外周を包み込み、且つ、双方の係止凹凸部５３，６１間が嵌合することによってコネクタハウジング５１に装着されている。
【０００５】
上記構成において、コネクタハウジング５１より引き出された電線（図示せず）は、電線保護カバー６０で保護されている。そして、電線組み付け時等にあって電線（図示せず）に電線引出し方向以外の引っ張り力が作用すると、その外力を電線保護カバー６０で受け、これによって電線（図示せず）自体や端子（図示せず）へのダメージが緩和される。
【先行技術文献】
【特許文献】
【０００６】
【特許文献１】特開平１０−２７６４５号公報
【発明の概要】
【発明が解決しようとする課題】
【０００７】
ところで、図１０に示すように、電線保護カバー６０に電線（図示せず）からの外力Ｆ２が作用すると、その外力Ｆ２を電線保護カバー６０とコネクタハウジング５１の装着箇所（双方の部材に係止凹凸部５３，６１を設けた箇所）で受ける。前記従来例では、コネクタハウジング５１の筒部５２を電線保護カバー６０が外側から包み込むようにして配置されているので、上記した外力Ｆ２によって電線保護カバー６０のハウジング装着側がコネクタハウジング５１の筒部５２に対して開く方向に容易に変形し、電線保護カバー６０が外れる恐れがある。つまり、電線保護カバー６０とコネクタハウジング５１間の固定力が弱いという問題がある。
【０００８】
電線保護カバー６０とコネクタハウジング５１の装着箇所の長さ寸法Ｌ２を長く設定すれば、固定力を大きくすることができるが、装着箇所の長さを長くするとコネクタ５０が大型化する。
【０００９】
そこで、本発明は、前記した課題を解決すべくなされたものであり、コンパクトで、しかも、電線保護カバーとコネクタハウジング間を強固な固定力で装着できるコネクタを提供することを目的とする。
【課題を解決するための手段】
【００１０】
請求項１の発明は、コネクタハウジングと、前記コネクタハウジングの電線引出し側に装着され、前記コネクタハウジングより延出された電線を被う電線保護カバーとを備えたコネクタであって、前記コネクタハウジングの電線引出し側には、ハウジング側係止部と、引き出される前記電線の外周側に突出するハウジング側嵌合突壁と、前記ハウジング側嵌合突壁の外周側に間隔を置いて突出するハウジング側外れ防止突部とが設けられ、前記電線保護カバーのハウジング装着側には、装着完了位置で前記ハウジング側係止部に係止されるカバー側係止部と、前記ハウジング側嵌合突壁と前記ハウジング側外れ防止突部の間に嵌り込むカバー側嵌合突壁と、前記ハウジング側外れ防止突部に当接し、前記カバー側嵌合突壁の回転方向の変位を規制するカバー側外れ防止部とが設けられたことを特徴とする。
【００１１】
請求項２の発明は、請求項１記載のコネクタであって、前記カバー側外れ防止突部は、前記ハウジング側外れ防止突部の少なくとも二方向の面に当接して前記ハウジング側外れ防止突部を囲むように設けられたことを特徴とする。
【００１２】
請求項３の発明は、請求項１又は請求項２記載のコネクタであって、前記ハウジング側嵌合突壁は、引き出される前記電線の全外周を囲む筒形状であることを特徴とする。
【００１３】
請求項４の発明は、請求項１〜請求項３のいずれかに記載のコネクタであって、前記カバー側係止部は、前記カバー側嵌合突壁とは独立した弾性アーム部を利用して形成されたことを特徴とする。
【発明の効果】
【００１４】
請求項１の発明によれば、カバー側嵌合突壁がハウジング側嵌合突壁の外周に単に配置されているのではなく、カバー側嵌合突壁がハウジング側嵌合突壁とハウジング側外れ防止突部の間に嵌め込まれ、且つ、カバー側外れ防止突部がハウジング側外れ防止突部に当接しているので、カバー側嵌合突壁が開き方向に変移しないように規制される。詳細には、カバー側嵌合突壁は、ハウジング側外れ防止突部によって拡径方向への変移が規制される。カバー側嵌合突壁は、カバー側外れ防止突部がハウジング側外れ防止突部に当接することによって回転方向の変移が規制される。以上によって、カバー側嵌合突壁がハウジング側嵌合突壁に対して開き方向に変移しない。
【００１５】
このように電線保護カバーの開き方向の変形を規制する手段を備えているため、コネクタハウジングと電線保護カバーの装着箇所の長さに依存することなく強固な装着力を得ることができる。以上より、コネクタをコンパクトで、しかも、電線保護カバーとコネクタハウジングを強固な固定力で装着できる。
【００１６】
請求項２の発明によれば、請求項１の発明の効果に加え、ハウジング側外れ防止突部にカバー側外れ防止突部が囲むように配置されているため、電線等からの外力が電線保護カバーに作用すると、カバー側嵌合突壁が外れる方向に変形しないようにハウジング側外れ防止突部とカバー側外れ防止突部がより確実に規制する。
【００１７】
請求項３の発明によれば、請求項１又は請求項２の発明の効果に加え、ハウジング側嵌合突壁に防水栓を装着することにより防水コネクタとすることができる。
【００１８】
請求項４の発明によれば、請求項１〜請求項３の発明の効果に加え、カバー側係止部を弾性変形容易に形成できるため、コネクタハウジングと電線保護カバー間の装着時の挿入力を低く抑えることができ、装着作業性が向上する。
【図面の簡単な説明】
【００１９】
【図１】本発明の第１実施形態を示し、コネクタの分解斜視図である。
【図２】本発明の第１実施形態を示し、コネクタの底面図である。
【図３】本発明の第１実施形態を示し、コネクタの平面図である。
【図４】本発明の第１実施形態を示し、（ａ）は図３のＡ−Ａ線断面図、（ｂ）は（ａ）のＢ部拡大図である。
【図５】本発明の第２実施形態を示し、コネクタの分解斜視図である。
【図６】本発明の第２実施形態を示し、コネクタの底面図である。
【図７】本発明の第２実施形態を示し、コネクタの平面図である。
【図８】本発明の第２実施形態を示し、図７のＣ−Ｃ線断面図、（ｂ）は（ａ）のＤ部拡大図である。
【図９】従来例のコネクタの分解斜視図である。
【図１０】従来例のコネクタの平面図である。
【発明を実施するための形態】
【００２０】
以下、本発明の実施形態を図面に基づいて説明する。
【００２１】
図１〜図４は本発明の第１実施形態を示し、図１はコネクタ１Ａの分解斜視図、図２はコネクタ１Ａの底面図、図３はコネクタ１Ａの平面図、図４（ａ）は図３のＡ−Ａ線断面図、図４（ｂ）は図４（ａ）のＢ部拡大図である。
【００２２】
図１〜図４に示すように、コネクタ１Ａは、コネクタハウジング２とこのコネクタハウジング２の電線引出し側に装着された電線保護カバー１０とを備えている。
【００２３】
コネクタハウジング２は、内部に複数の端子（図示せず）が収容されている。コネクタハウジング２は、その前面側より相手コネクタ（図示せず）が嵌合され、双方の端子間が導通される。コネクタハウジング２は、内部の各端子（図示せず）に接続された複数の電線（図示せず）が後面側より引き出されている。コネクタハウジング２の電線引出し側には、ハウジング側嵌合突壁３とハウジング側外れ防止突部４が突設されていると共にハウジング側係止部５が設けられている。
【００２４】
ハウジング側嵌合突壁３は、ほぼ楕円筒形状であり、引き出される電線（図示せず）の全外周を囲むように配置されている。
【００２５】
ハウジング側外れ防止突部４は、ハウジング側嵌合突壁３の左右両端の外周側で、且つ、その上下二箇所の位置に間隔を置いて分割配置されている。つまり、計４箇所に配置されている。各ハウジング側外れ防止突部４の内周面４ａ（図４（ｂ）に示す）は、ハウジング側嵌合突壁３の外周面に倣ってほぼ円弧状の曲面である。各ハウジング側外れ防止突部４は、ハウジング側嵌合突壁３より低く設定されている。
【００２６】
ハウジング側係止部５は、ハウジング側嵌合突壁３の上下面の各二箇所にそれぞれ設けられている。
【００２７】
電線保護カバー１０は、ハウジング装着部１１と、これに連続して形成された電線カバー部１２とから構成されている。ハウジング装着部１１には、カバー側係止部１３とカバー側嵌合突壁１４とカバー側外れ防止突部１５とが設けられている。
【００２８】
カバー側係止部１３は、ハウジング側係止部５に対応する四箇所に設けられている。各カバー側係止部１３は、ハウジング装着側に向かって突設された弾性アーム部１３ａと、この弾性アーム部１３ａに設けられた係止孔１３ｂより形成されている。各カバー側係止部１３は、カバー側嵌合突壁１４とは独立して設けられている。各カバー側係止部１３は、装着位置でハウジング側係止部５にそれぞれ係止される。
【００２９】
カバー側嵌合突壁１４は、ハウジング側嵌合突壁３の両端の外側に対応する二箇所に設けられ、その箇所のハウジング側嵌合突壁３の形状に倣うように円弧状である。カバー側嵌合突壁１４は、図４（ａ）、（ｂ）に示すように、装着時にはハウジング側嵌合突壁３とハウジング側外れ防止突部４の間に嵌り込む。つまり、カバー側嵌合突壁１４は、その内面がハウジング側嵌合突壁３の外周面に当接され、その外面がハウジング側外れ防止突部４の内周面４ａにそれぞれ当接されている。
【００３０】
カバー側外れ防止突部１５は、図４（ａ）、（ｂ）に示すように、カバー側嵌合突壁１４の一方側の二箇所よりそれぞれ延設されている。二箇所のカバー側外れ防止突部１５は、各ハウジング側外れ防止突部４の側面４ｂにそれぞれ当接されている。
【００３１】
電線カバー部１２は、ハウジング装着部１１に近い位置でほぼ直角に折曲され、所望の電線配策方向に向かって延びている。電線カバー部１２は、一面が開口されている。電線カバー部１２の開口面は、図示しない蓋によって塞がれる。
【００３２】
電線保護カバー１０をコネクタハウジング２に装着するには、コネクタハウジング２から引き出された電線（図示せず）を電線保護カバー１０内に通す。電線（図示せず）を通した電線保護カバー１０をコネクタハウジング２の電線引出し側に配置し、カバー側嵌合突壁１４をハウジング側嵌合突壁３とハウジング側外れ防止突部４の間に位置合わせする。そして、電線保護カバー１０とコネクタハウジング２を合体させるべく近づける。すると、カバー側嵌合突壁１４がハウジング側嵌合突壁３とハウジング側外れ防止突部４の間に入り込み、且つ、カバー側外れ防止突部１５がハウジング側外れ防止突部４の側面４ａに沿って奥に進む。装着完了位置まで挿入すると、カバー側係止部１３とハウジング側係止部５が係止される。これで、電線保護カバー１０の装着が完了する。
【００３３】
上記構成において、コネクタハウジング２より引き出された電線（図示せず）は、電線保護カバー１０で保護されている。そして、電線組み付け時等にあって電線（図示せず）に電線引出し方向以外の引っ張り力が作用すると、その外力が電線保護カバー１０に作用して、電線（図示せず）自体や端子（図示せず）へのダメージが緩和される。
【００３４】
ここで、電線保護カバー１０に電線（図示せず）からの外力Ｆ１（図２に示す）が作用すると、その外力Ｆ１を電線保護カバー１０とコネクタハウジング２の装着箇所で受ける。カバー側嵌合突壁１４はハウジング側嵌合突壁３の外周に単に配置されているのではなく、カバー側嵌合突壁１４がハウジング側嵌合突壁３とハウジング側外れ防止突部４の間に嵌め込まれ、且つ、カバー側外れ防止突部１５がハウジング側外れ防止突部４に当接しているので、カバー側嵌合突壁１４が開き方向に変移しないように規制される。詳細には、カバー側嵌合突壁１４は、ハウジング側外れ防止突部５によって拡径方向ａ（図４（ａ）に示す）への変移が規制される。カバー側嵌合突壁１４は、カバー側外れ防止突部１５がハウジング側外れ防止突部４の側面４ｂに当接しているので、ハウジング側嵌合突壁３に対して回転する方向ｂ（図４（ａ）に示す）の変移が規制される。以上によって、カバー側嵌合突壁１４がハウジング側嵌合突壁３の外周面より離れる方向（開き方向）に変移しない。
【００３５】
このように電線保護カバー１０の開き方向の変形を規制する手段を備えているため、コネクタハウジング２と電線保護カバー１０の装着箇所の長さ寸法Ｌ１（図２に示す）に依存することなく強固な装着力を得ることができる。以上より、コネクタ１Ａをコンパクトで、しかも、電線保護カバー１０とコネクタハウジング２間を強固な固定力で装着できる。
【００３６】
ハウジング側嵌合突壁３は、引き出される電線（図示せず）の全外周を囲む筒形状である。従って、ハウジング側嵌合突壁３に防水栓を装着することにより防水コネクタとすることができる。
【００３７】
カバー側係止部１３は、カバー側嵌合突壁１４とは独立した弾性アーム部１３ａを利用して形成されている。従って、カバー側係止部１３を弾性変形容易に形成できるため、コネクタハウジング２と電線保護カバー１０間の嵌合時の挿入力を低く抑えることができ、装着作業性が向上する。
【００３８】
ハウジング側嵌合突壁３に対しハウジング側外れ防止突部４のカバー側突出量が小さく設定されている。従って、電線保護カバー１０をコネクタハウジング２に装着する際には、先ず、カバー側嵌合突壁１４がハウジング側嵌合突壁３の外周に入り込み、これによって電線保護カバー１０とコネクタハウジング２間が位置決めされる。この位置決めによってカバー側外れ防止突部１５とハウジング側外れ防止突部４間が適正な嵌合位置に位置決めされる。そのため、ハウジング側嵌合突壁３とハウジング側外れ防止突部４は、カバー側外れ防止突部１５とハウジング側外れ防止突部４間の嵌合過程でガイドとして機能し、スムーズな嵌合作業に寄与する。
【００３９】
（第２実施形態）
図５〜図８は本発明の第２実施形態を示し、図５はコネクタ１Ｂの分解斜視図、図６はコネクタ１Ｂの底面図、図７はコネクタ１Ｂの平面図、図８（ａ）は図７のＣ−Ｃ線断面図、図８（ｂ）は図８（ａ）のＤ部拡大図である。
【００４０】
図５〜図８に示すように、この第２実施形態のコネクタ１Ｂは、前記第１実施形態のコネクタ１Ａと比較するに、電線保護カバー１０の一部構成のみが相違する。
【００４１】
つまり、電線保護カバー１０のカバー側外れ防止突部１５Ａは、ハウジング側外れ防止突部４の側面４ｂに当接する第１当接部１５ａと、この第１当接部１５ａより延設され、ハウジング側外れ防止突部４の外周面４ｃに当接する第２当接部１５ｂとから略Ｌ字状に形成されている。つまり、カバー側外れ防止突部１５Ａは、ハウジング側外れ防止突部４の二面に当接している。
【００４２】
他の構成は、前記第１実施形態のコネクタ１Ａと同様であるため、図面に同一符号を付してその説明を省略する。
【００４３】
この第２実施形態でも、カバー側嵌合突壁１４がハウジング側嵌合突壁３の外周に単に配置されているのではなく、カバー側嵌合突壁１４がハウジング側嵌合突壁３とハウジング側外れ防止突部４の間に嵌め込まれ、且つ、カバー側外れ防止突部１５Ａがハウジング側外れ防止突部４に当接しているので、カバー側嵌合突壁１４が開き方向に変移しないように規制される。詳細には、カバー側嵌合突壁１４は、ハウジング側外れ防止突部５によって拡径方向ａ（図８（ａ）に示す）への変移が規制されている。カバー側嵌合突壁１４は、カバー側外れ防止突部１５Ａを介してハウジング側外れ防止突部４によってハウジング側嵌合突壁３に対して回転する方向ｂ（図８（ａ）に示す）の変移が規制されている。以上によって、カバー側嵌合突壁１４が開き方向に変移しない。
【００４４】
特に、カバー側外れ防止突部１５Ａは、ハウジング側外れ防止突部４の二方向の面に当接してハウジング側外れ防止突部４を囲むように設けられているので、カバー側嵌合突壁１４の開き方向の変移を更に確実に規制することができる。
【００４５】
このように電線保護カバー１０の開き方向の変形を規制する手段を備えているため、コネクタハウジング２と電線保護カバー１０の装着箇所の長さ寸法Ｌ１（図６に示す）に依存することなく強固な装着力を得ることができる。以上より、コネクタ１Ａをコンパクトで、しかも、電線保護カバー１０とコネクタハウジング２を強固な固定力で装着できる。
【００４６】
尚、この第２実施形態では、カバー側外れ防止突部１５Ａは、ハウジング側外れ防止突部４の二方向の面に当接するよう構成されているが、三方向以上の面に当接するよう構成しても良い。
【符号の説明】
【００４７】
１Ａ，１Ｂ  コネクタ
２  コネクタハウジング
３  ハウジング側嵌合突壁
４  ハウジング側外れ防止突部
５  ハウジング側係止部
１０  電線保護カバー
１３  カバー側係止部
１３ａ  弾性アーム部
１４  カバー側嵌合突壁
１５，１５Ａ  カバー側外れ防止突部
【図１】
2011171065.tif 000003
【図２】
2011171065.tif 000004
【図３】
2011171065.tif 000005
【図４】
2011171065.tif 000006
【図５】
2011171065.tif 000007
【図６】
2011171065.tif 000008
【図７】
2011171065.tif 000009
【図８】
2011171065.tif 000010
【図９】
2011171065.tif 000011
【図１０】
2011171065.tif 000012